(57)【要約】【課題】  日付と曜日を表示する時計のカレンダー機構を提供する。【解決手段】  本発明の時計のカレンダー機構は、内歯のクラウンの形態の日付指示装置と、前記日付指示装置を駆動する手段と、前記日付指示装置を駆動する手段は、前記時計の時ウイールに取り付けられたウイールの組により軸の周囲で駆動されるために、外歯を有する第１動輪ウイールを有し、前記外歯は、他の歯より長い突出した歯を有し、前記日付指示装置の内歯に当接し、所定時間近傍の時間帯で、日付を一日進め、曜日指示装置と、前記時間帯の間、曜日を進める為に、前記曜日指示装置を駆動する手段と、前記指示装置を配置する手段とからなり、前記曜日指示装置を駆動する手段は、前記外歯に適合し前記第１動輪ウイールに同軸に重ねられる第２動輪ウイールを有し、前記第１と第２の動輪ウイールは、同一の直径と同一の偶数の歯数を有し、前記時ウイールに固定された同一のウイールセットにより駆動されることを特徴とする。
2006513426.tif 000002
【特許請求の範囲】
【請求項１】
日付と曜日を表示する時計のカレンダー機構において、
（Ａ）  内歯クラウンの形状の日付指示装置（２４）と、
（Ｂ）  前記日付指示装置を駆動する手段（１０，７６；１０，８０）と、
前記日付指示装置を駆動する手段は、外歯（７８；８２）を有する第１動輪ウイール（７６；８０）を有し、時計の時ウイール（２）に取り付けられたウイールの組（１０）により、回転軸の周囲で駆動され、
前記外歯（７８；８２）は、他の歯より長い突出歯（７８”；８２”）を有し、前記日付指示装置の内歯（４４）に当接し、所定時間近傍の時間帯で、日付を一日進め、
（C）  曜日指示装置（２０）と、
（Ｄ）  前記時間帯の間、曜日を進める為に、前記曜日指示装置を駆動する手段（１０，７６’，２２；１０，８０’，２２）と、
（Ｅ）  前記指示装置（２４，２０）を配置する手段（５０，５２）と、
からなり
前記曜日指示装置を駆動する手段は、前記外歯（７８’；８２）に適合し前記第１動輪ウイール（７６，８０）に同軸に重ねられる第２動輪ウイール（７６’；８０’）を有し、
前記第１と第２の動輪ウイール（７６，７６’；８０，８０’）は、同一の直径と同一の偶数の歯数（７８，７８’；８２，８２’）を有し、前記時ウイール（２）に固定された同一のウイールセット（１０）により駆動される
ことを特徴とする時計の日付と曜日を表示するカレンダー機構。
【請求項２】
前記前記日付指示装置を駆動する手段（１０，７６；１０，８０）は、
前記時ウイール（２）のパイプ（４）に固定されたカナ（１０）により形成され、
前記第１と第２の動輪ウイール（７６，７６’；８０，８０’）の歯数の半分に等しい数の歯（１２）を有する
ことを特徴とする請求項１記載のカレンダー機構。
【請求項３】
前記曜日指示装置は、前記日付指示装置（２４）と同軸のディスク（２０）であり、
前記ディスク（２０）を駆動する手段は、前記ディスクに固定されたデイスター・ウイール（２２）を含み、前記第２動輪ウイール（７６’；８０’）により駆動される
ことを特徴とする請求項２記載のカレンダー機構。
【請求項４】
前記第２動輪ウイール（７６’；８０’）は、
固定真（１４）に軸支され、
ハブ（１０６）と弾性アーム（１１２）とを有し、
前記ハブ（１０６）を介して，前記固定真上に搭載され、前記歯（７８’；８２）を有するクラウン（１０８）に接続され、
前記弾性アーム（１１２）は，少なくとも間接的に前記ハブに取り付けられ、部分的に前記ハブを包囲し、円弧の形状であり、
前記弾性アームは、その自由端に、第１駆動フィンガー（１１４）を有し，
前記第１駆動フィンガーは、前記第２動輪ウイールの面に直交し、，前記デイスター・ウイール（２２）の歯（３４）の間に係合する
前記曜日指示ディスク（２０）は、カレンダー機構が通常に動作しているときには曜日を一日進める
ことを特徴とする請求項３記載のカレンダー機構。
【請求項５】
前記曜日指示装置のディスク（２０）には、異なる言語での曜日の名前の略語が交互に記載され、
前記デイスター・ウイール（２２）は、１４枚の歯（３４）を有し、
前記弾性アーム（１１２）は、前記第２動輪ウイール（７６’；８０’）の面に直交する第２駆動フィンガー（１１６）を有し、
前記第２駆動フィンガー（１１６）の第１駆動フィンガー（１１４）に対する配置位置は、前記第１と第２の駆動フィンガーが、前記デイスター・ウイール（２２）の２つの連続する歯（３４）上で次々に動作し、
前記曜日ディスクが、前記所定の時間帯の間、前記第２動輪ウイール（７６’；８０’）の同一方向ヘの１４回の回転により、２回回転する
ことを特徴とする請求項３記載のカレンダー機構。
【請求項６】
前記弾性アーム（１１２）は、半径方向指示フィンガー（１１８）を有し、
前記半径方向指示フィンガー（１１８）は、
前記第２動輪ウイール（８０’）の面に配置された
前記弾性アームが前記クラウンの方向に変形した時に、前記第２動輪ウイール（８０’）の前記クラウン（１０８）に当接する
前記変形した時とは，前記第１駆動フィンガー（１１４）が，前記曜日指示装置のディスク（２０）を，前記配置手段（５２）に抗して，一日進めるように変形した時である
ことを特徴とする請求項４記載のカレンダー機構。
【請求項７】
前記弾性アーム（１１２）と、前記第１駆動フィンガー（１１４）と、前記デイスター・ウイール（２２）の歯（３４）と、前記デイスター・ウイールの配置手段（５２）とは、
前記第１駆動フィンガー（１１４）は、前記弾性アーム（１１２）を大幅に変形させることなく、前記歯（３４）の１つの上で，前記クラウン（１０８）の固有の弾性変形に起因して、前記ハブ（１０６）の方向にスライドし、
その結果、前記曜日指示は、前記カナ（１０）が、前記第２動輪ウイール（７６’；８０’）と前記デイスター・ウイール（２２）のそれぞれの回転方向（F1,F2）とは反対方向に回転した時には変わらない
ことを特徴とする請求項４記載のカレンダー機構。
【請求項８】
前記第１動輪ウイール（７６）は、固定真（１４）に軸支され、ハブを有し、
前記ハブを介して前記固定真上に搭載され、
半径方向アームにより前記歯（７８）を有するクラウンに固定される
ことを特徴とする請求項２記載のカレンダー機構。
【請求項９】
前記第１動輪ウイール（７６）の前記突出歯（７８”）は、半径方向の前側面と後側面とを有し、
前記前側面は、前記第１動輪ウイール（７６）の他の歯（７８）と類似し、カレンダー機構が通常に動作しているときに、日付表示を一日進めるように、前記日付クラウン（２４）の歯（４４）に作用し、
前記後側面は、前記日付クラウンの歯（４４）の間に係合する前記突出歯の一端に、      前記前側面と鋭角を形成するより小さな傾斜の斜め表面を有し、
前記第１動輪ウイール（７６）が、弾性変形し、前記カナ（１０）により通常の回転方向（Ｆ１）とは反対方向に回転し、日付の指示を変えることがない
ことを特徴とする請求項８記載のカレンダー機構。
【請求項１０】
前記第１動輪ウイール（８０）は、
固定真（１４）に軸支され、
ハブ（８４）と、
弾性的に変形可能なアーム（８８）と、
半径方向に伸びる接続部（９０）と
を有し、
前記ハブ（８４）から、幅広い半径方向アーム（８６）が伸び、
前記弾性的に変形可能なアーム（８８）は、円弧形状をし、前記アーム（８６）の自由端から伸び、前記第１動輪ウイールの通常の回転方向（Ｆ１）に伸び、前記ハブ（８４）の大部分を包囲し、
前記半径方向に伸びる接続部（９０）は、前記歯（８２）を有するクラウン（９２）に接続され、
前記第１動輪ウイール（８０）の前記突出歯（８２”）は、前記通常回転方向（Ｆ１）に前記第１動輪ウイールが回転したときに先行する歯（８２）から、前記クラウンの切り込み（９４）により、分離され、
前記第１動輪ウイールが通常回転方向に回転し、前記突出歯（８２”）が前記日付クラウン（２４）の歯（４４）と接触し、前記日付クラウンを駆動した時に、前記弾性的に変形可能なアーム（８８）はそれが前記ハブ（８４）に近づく方向に狭まつつある間は、前記突出歯は静止しており、
前記切り込み（９４）の幅が、前記接続部（９０）の前側面（１０２）が前記半径方向アーム（８６）の後側面（１０４）と接触し、前記突出歯（８２”）が先行する歯（８４）と接触するまで、増加し、
その後、前記突出歯は、前記日付クラウンを駆動して曜日を一日進め、前記第１動輪ウイール（８０）が元の形に
ことを特徴とする請求項２記載のカレンダー機構。
【請求項１１】
前記第１動輪ウイール（８０）の突出歯（８２”）は、半径方向の前側面（９６）と、後部側面（９８）とを有し、
前記前側面（９６）は、他の歯（８２）と同様で、カレンダー機構が通常に動作したときに、日付を一日進め、
前記後部側面（９８）は、前記日付クラウン（２４）の歯（４４）の間に係合する前記突出歯の自由端で、前記前側面（９６）と鋭角をなす小さな傾斜の斜め表面（１００）を有し、
前記第１動輪ウイール（８０）が通常の回転方向（Ｆ１）とは反対方向に駆動されたとき、及び前記突出歯（８２”）の斜め表面（１００）が日付クラウン（２４）の歯（４４）に接触したときに、前記歯（４４）は、前記傾斜表面上をスライドし、
これにより、弾性アーム（８８）に引っ張りを加え、前記第１動輪ウイール（８０）のクラウン（９２）の切り込み（９４）の幅が若干減少するが日付の変更は行われない
ことを特徴とする請求項１０記載のカレンダー機構。
【請求項１２】
カレンダー機構が通常に動作しているときには、日付指示装置（２４）の駆動と曜日指示装置（２０）の駆動は、時間的にずれ、
その結果、前記両指示装置を駆動するのに必要なトルクは、同時に最大時に達せず、装置を構成する時計の誤動作を阻止する
ことを特徴とする請求項１記載のカレンダー機構。
【発明の詳細な説明】
【技術分野】
【０００１】
本発明は、日付と曜日とを表示する時計のカレンダー機構に関する。
【０００２】
本発明の時計のカレンダー機構は、内歯のクラウンの形態の日付指示装置と、前記日付指示装置を駆動する手段と、前記日付指示装置を駆動する手段は、前記時計の時ウイールに取り付けられたウイールの組により軸の周囲で駆動されるために、外歯を有する第１動輪ウイールを有し、前記外歯は、他の歯より長い突出した歯を有し、前記日付指示装置の内歯に当接し、所定時間近傍の時間帯で、日付を一日進め、曜日指示装置と、前記時間帯の間、曜日を進める為に、前記曜日指示装置を駆動する手段と、前記指示装置を配置する手段とからなる。
【背景技術】
【０００３】
この種の機構は、図１に示すように本出願人が既に製造し市販している時計のムーブメントの部品を構成する機構、及びこの種の機構に直接関連するムーブメントの他の構成要素を構成する機構に類似する。
【０００４】
これらの構成要素の中で時ウイール２は、ムーブメントの中心に搭載され１２時間で１回転する。時ウイール２のパイプ４は時針（図示せず）を動かす。分ウイールのパイプ６は、秒ウイールの軸８を包囲し、パイプ４の内側で回転する。パイプ６と軸８は、それぞれ分針と秒針を駆動する。
【０００５】
時ウイール２のパイプ４と前記時ウイールに接触して、６枚歯１２を具備したカナ１０が固定され、このカナ１０は動輪ウィール１６と噛み合っている。２４時間で一回転するために、この動輪ウィール１６は、ムーブメントの固定真（軸）１４の周囲に軸支され、１２枚歯１８を有する。動輪ウィール１６は、デイスター・ウイール２２に固定された曜日表示ディスク２０と日付表示冠（環）２４とを駆動する。これに関しては以下説明する。
【０００６】
日付機構に直接関連するムーブメントの要素にはプレート２６があり、このプレート（地板）２６は上部エッジ２８を含む。この上部エッジ２８は、開口３２を具備した文字盤３０の支持部材として機能する。プレート２６は、文字盤３０が軸回りに、図示しない手段により開口３２が３時の位置にくるように配置される。これにより時計のユーザが曜日と日付をこの開口を通して見ることができるようにまる。
【０００７】
プレート２６は、日付表示冠２４の支持部材として機能する。日付表示冠２４は、プレート２６の上部エッジ２８により包囲され半径方向からその場所に保持される。
【０００８】
図に示すように、曜日表示ディスク２０は７つの曜日の略字を２回同一言語で示す。デイスター・ウイール２２は１４枚歯３４を含む。これらは時ウイール２のパイプ４の周囲に軸支され、キー３６により軸方向に保持される。曜日表示ディスク２０とデイスター・ウイール２２の組み立て体は、リベットあるいはレーザー溶接により形成される。
【０００９】
日付表示冠２４は、金属製シートあるいは薄い金属ストリップを切断し折り曲げることにより形成される。日付表示冠２４は、階段状の形状をし、３つの同軸環状部品３８，４０，４２を有し、その高さは外側から内側に向かって順に低くなっている。
【００１０】
第１環状部品３８の外径は日付表示冠２４のそれに対応し、その表面には規則正しく１から３１までの数字が記載されている。第２環状部品４０は、曜日表示ディスク２０を収納し、曜日表示ディスク２０よりも若干大きな直径を有し回転を阻害しないようにしている。第２環状部品４０と第１環状部品３８との高さ（レベル）の差は、曜日と日付が同一面でかつ文字盤３０の開口３２内に近接して表れるような大きさである。第３環状部品４２は、３１枚の内歯を有する。この歯は二等辺形状歯４４をしている。３１枚の歯は最長月の３１日に対応している。
【００１１】
図１のムーブメントのカレンダー機構は、曜日表示ディスク２０と、日付表示冠２４の第３環状部品４２との間に挿入された保持プレート４６を有する。この保持プレート４６は、ネジ手段４８によりムーブメントの固定部分に固定される。保持プレート４６は３つの機能を有する。第１と第２の機能は、それらの動きを阻害することなく、それぞれ動輪ウィール１６と日付表示冠２４を軸方向に保持することである。第３の機能は、日付表示冠２４と曜日表示ディスク２０のジャンパ−スプリングとして機能することである。これを行うために、保持プレート４６には、切り込みが入れられ、折り曲げられて、第１弾性舌状突起部５０と第２弾性舌状突起部５２が形成される。第１弾性舌状突起部５０は、プレートのメイン部分の面の下に伸びて、Ｖ型の端部となり、ムーブメントの外側方向に向き、日付表示冠２４の二等辺形状歯４４の間に係合している。一方、第２弾性舌状突起部５２は、プレート４６の面の上に伸びて、Ｖ型の端部部分になり、ムーブメントの内側方向を向き、デイスター・ウイール２２の１４枚の歯３４の間に係合している。歯４４，３４は、両方とも、半径方向に二等辺三角形の形状をしている。
【００１２】
動輪ウィール１６と図１のカレンダー機構の動作を記載するために、動輪ウィール１６の拡大斜視図である図２を参照する。
【００１３】
動輪ウィール１６は、ハブ５４を有し、このハブ５４を介して固定真１４に搭載され、スポーク形状をした結合要素５６によりクラウン５８に結合される。このクラウン５８は、前述したように、１２枚歯１８を有する。
【００１４】
これらの１２枚歯１８の中に他の歯とは異なる形状をした歯１８’がある。この歯１８’は、他の歯よりも半径方向に大きく伸び、日付表示冠２４の歯４４の間に係合できる唯一のものであり、かつカナ１０の６枚歯の間に、他の歯と同様に、係合することもできる。以下に説明する理由により、この歯１８’は、所謂、「前側面」６０と「後側面」６２とを有する。「前側面」６０は、他の歯の側面即ち半径方向の面と同一の傾斜を有する。「後側面」６２は、二等辺形状歯４４の間に係合される歯の端部に、前側面６０と鋭角を形成する、より小さな傾斜の斜表面６４を有する。
【００１５】
動輪ウィール１６は弾性アーム６６を有する。この弾性アーム６６はほぼ円弧形状をし、動輪ウィール１６の他の要素と一体に構成され、歯の付いたクラウン５８の内側に伸びる。このアーム６６は、その自由端でほぼ矩形の第１舌状突起部を有し、ムーブメントの前面の方に向いて９０度で折れ曲がり、デイスター・ウイール２２の１４枚歯３４の間に係合する駆動フィンガー６８を形成する。１４枚歯３４の側面に対する弾性アーム６６と駆動フィンガー６８の方向は、アーム６６が動輪ウィール１６のハブ５４から離れる方向でかつ若干反対方向に移動するよう強制された時に、大幅に変形するように、調整される。
【００１６】
動輪ウィール１６は、矩形の第２舌状突起部７０を有する。この第２舌状突起部７０は弾性アーム６６と一体に形成され、ウイール１６の面内で、弾性アーム６６の端部から所定距離離れた位置で、クラウン５８の方向に伸びるように形成される。第２舌状突起部７０の有用性と効果は、図１，２のカレンダー機構の動作には関係しないが、以下説明する。
【００１７】
図１，２のカレンダー機構は、ドラッキング（dragging）タイプである。即ち、日付が一日進むの動きと、曜日が次の曜日に変わる動きは、真夜中の約４時間の時間帯で行われるタイプである。
【００１８】
この動きが適正に行われていると、そのモーターは、純粋に機械的あるいは電気機械的なものであれ、カナ１０を時計方向に、カレンダー用の動輪ウィール１６を反時計方向に駆動する。この時間帯外では、動輪ウィール１６は、日付表示冠２４ともデイスターホイール（歯車）２２とも噛み合わず、その位置は第１弾性舌状突起部５０と第２弾性舌状突起部５２により決定保持される。その結果、日付と曜日の表示は、文字盤３０の開口内に適正に表れ、その表示を変える際に、ムーブメントが受ける衝撃はない。
【００１９】
以下に説明する理由で、動輪ウィール１６には、曜日表示ディスク２０と日付表示冠２４の駆動開始時の間、あるいはその逆の停止時の間に、約３０分間に行われる移送シフトがある。以下図１，２のカレンダー機構の動作をまず説明し、その後その変形例及び本発明の機構を説明する。
【００２０】
この様な状況において、駆動フィンガー６８が、デイスター・ウイール（歯車）２２の１４枚歯３４の裏側面と接触すると、駆動フィンガー６８は、ジャンパースプリングである第２弾性舌状突起部５２の動作により押されている１４枚歯３４にトルクをかけるようになる。動輪ウィール１６が矢印Ｆ１の方向に徐々に回転すると、弾性アーム６６はハブ５４から離れる方向に移動しながら緊張する。駆動フィンガー６８は、１４枚歯３４の側面に沿ってスライドし、１４枚歯３４に接触し、デイスター・ウイール２２と曜日表示ディスク２０を矢印Ｆ２の方向に回転させる。同時に、第２弾性舌状突起部５２の端部は、デイスター・ウイール２２の２個の歯の間の空隙から飛び出す。一方駆動フィンガー６８により１４枚歯３４にかかるトルクは増加する。
【００２１】
デイスター・ウイール（歯車）２２と曜日表示ディスク２０の駆動が開始された後約３０分すると、動輪ウィール１６の歯１８’の前側面６０は、日付表示冠２４の二等辺形状歯４４の後側面と接触するようになる。その後、側面上をスライドして矢印Ｆ３の方向（即ち動輪ウィール１６と同一方向で、かつ曜日表示ディスク２０が回転するのと反対方向）に日付表示冠２４を回転させる。この時間帯においては、ジャンパースプリングである第１弾性舌状突起部５０の端部は、日付クラウンの１２枚歯１８の間の空隙から飛び出す。前記ジャンパースプリングが緊張を開始する。歯１８’により接触した二等辺形状歯４４上にかけられたトルクは、増加する。
【００２２】
その後の間（これは日付と曜日を替えるのに必要な最長の時間間隔であるが）、動輪ウィール１６は、デイスター・ウイール２２と日付表示冠２４を同時に駆動し、第１弾性舌状突起部５０と第２弾性舌状突起部５２により、それぞれデイスター・ウイール２２の１４枚歯３４と日付表示冠２４の二等辺形状歯４４にかかる抵抗トルク(resistant torques)の合計値以上のより高いトルクを与える。これらのトルクは、第２弾性舌状突起部５２の端部がデイスター・ウイール２２の１４枚歯３４に達するまで、増加し続ける。
【００２３】
非常に短い時間内に、曜日表示ディスク２０が矢印Ｆ２の方向に回転して、第２弾性舌状突起部５２が、前に配置されていた歯の間の空隙に続いて、デイスター・ウイール２２の空隙内にその先端部が落ちと、ジャンパー・スプリングである第２弾性舌状突起部５２が緩む。同時に、動輪ウィール１６の駆動フィンガー６８は、デイスター・ウイール２２に最大のトルクをかけながら、デイスター・ウイール２２の歯の部分から外に出される。かくして、曜日表示ディスク２０により記される曜日は次の曜日への移行を完了する。
【００２４】
少し後で、同一のプロセスが、ジャンパー・スプリングである第１弾性舌状突起部５０に対しても行われ、日付表示冠２４の二等辺形状歯４４の間の空隙の間に、その端部と動輪ウィール１６の長い歯１８’が配置される。これにより日付の表示が一日前に進む。
【００２５】
かくして曜日ディスクの駆動と日付クラウンの駆動との間の移送シフトに起因して動輪ウィール１６により加えられる全トルクは、前記ウイールにより加えられるデイスター・ウイールと日付クラウンに加えられる最大トルクの和に達しない。これにより駆動モーターがロックする動き、あるいは少なくともディスクと／又はクラウンが後戻りする動きを阻止する。
【００２６】
日付表示の変更の時、特に３０日の月あるいは２月の場合のように３０日未満の月から翌月への移行の間、あるいは、日付と曜日の両方の変更の時、例えば電子機械的ムーブメントの場合にバッテリーの交換、あるいは機械的時計の場合におけるネジの巻き忘れの場合には、これらの変更は制御ステムと図示していない修正機構の手段により手動でかつ早急に行われる。出願人あるいは他の業者により市販されているムーブメントの場合、制御用ステムは、３つの軸方向位置に留まることが可能なステム（竜頭の心棒）である。即ち、時計を巻く位置と、第１の引出位置と、第２の引出位置である。第１位置では、ステムをある方向に回転したときに日付表示が変わり、逆方向に回転することにより曜日表示が変わる。第２引出位置は、時計の針の時間設定するためのものである。
【００２７】
曜日ディスクも日付クラウンも動輪ウィール１６により駆動されない時間帯外に日付を設定する場合には、何の問題も発生しない。しかし希に曜日を設定すること、より頻繁には日付を設定することは、真夜中に即ちこの時間帯に行われる。
【００２８】
日付の変更がこれらの状況で行われる場合には、日付修正機構（図示せず）は、日付表示冠２４の二等辺形状歯４４に機能して、日付表示冠２４を、矢印Ｆ３の方向に、ジャンパー・スプリングである第１弾性舌状突起部５０に抗して、回転させる。二等辺形状歯４４の前側面が、動輪ウィール１６の歯１８’の後側面の斜表面６４と接触する毎に、二等辺形状歯４４の前側面は、歯１８’の斜表面上をスライドするが、動輪ウィール１６若干変形するような弾性に起因して、１２枚歯１８の角度の位置を変更することはない。カナ１０により前記動輪ウィール１６にかかるトルクに抗して、カナ１０は、最も遅い速度で反対方向に回転するが、これはゼロと見なすことができる。
【００２９】
希にしか起こらないことであるが、曜日ディスクの位置が、問題となっている時間帯の間に変更しなければならないような場合には、修正機構がデイスター・ウイール（歯車）２２を矢印Ｆ２の方向に駆動して、ジャンパースプリングである第２弾性舌状突起部５２の端部を２個の１４枚歯３４の空隙から次の空隙までジャンプさせる。デイスター・ウイール２２の歯の前側面が駆動フィンガー６８と接触すると、弾性アーム６６は動輪ウィール１６のハブ５４の方向に若干湾曲し、駆動フィンガー６８がデイスター・ウイール２２の先端を通過した後、最初の位置にその後戻る。
【００３０】
更に、時計の時間を進める場合には、全てのことが、機構が正常に動作するのと同様な方法で行われる。但し、曜日と日付の変更プロセスが進んでいる間、変更が行われる場合を除く。このプロセスは時間を変更する期間の間加速される。しかし時計の時間を戻す場合には、動輪ウィール１６は矢印Ｆ１とは反対方向に回転する。この場合、斜表面６４が日付クラウンの二等辺形状歯４４と接触すると、この二等辺形状歯４４はこの面上をスライドするかあるいはスライドを継続する。これにより動輪ウィール１６のクラウンの若干の変形を引き起こし維持する。このことはウイールの位置は変わらないことを意味する。同一の期間において、駆動フィンガー６８の後面がデイスター・ウイール２２の１４枚歯３４と接触すると、この駆動フィンガー６８は後面の上をスライドする。これにより弾性アーム６６がウイールのハブ５４に戻る方向で、非常に少し変形し、これは、斜表面６４が１４枚歯３４の先端に達するまで行われる。この時点でアームは最初の位置に戻るが、これはデイスター・ウイール（歯車）２２と曜日表示ディスク２０の位置が変わらずに行われる。
【００３１】
図３，４は、図１，２のカレンダー機構の変形例であり、これは出願人により製造され市販されている他のムーブメントで使用される機構に対応するものである。
【００３２】
週ディスクとデイスター・ウイール（歯車）の曜日の上面図である図３を参照すると、デイスター・ウイール（歯車）２２は不変で、１４枚歯３４を含む。
【００３３】
しかし、曜日表示ディスク２０’は、連続する曜日の略字を２回同一言語で図１の曜日表示ディスク２０のようには表示しておらず、曜日の略字が２カ国の言語（この実施例では英語とフランス語）で示されている。
【００３４】
その結果、同一言語で曜日が常に表示されるためには、デイスター・ウイールとディスクは、一日に１／１４回ではなく、１／７回回転しなければならない。これを行うために、図１，２に示した動輪ウィール１６の第２舌状突起部７０は、図４に示すように第２駆動フィンガー７０’となるよう曲げている。かくして駆動フィンガー６８が、デイスター・ウイール２２の１４枚歯３４上に機能して曜日ディスク２０’を１／１４回回転させ、第２駆動フィンガー７０’が、同様にその後の１４枚歯３４に機能して、ディスクを同一方向に１／１４回再び回転させる。
【００３５】
駆動フィンガー６８に対するのと同様な理由で、第２駆動フィンガー７０’の動作は、歯１８’のそれと同期しており、その結果、動輪ウィール１６が同時にデイスター・ウイール２２と日付表示冠２４に加える全トルクは、デイスター・ウイールとクラウンを回転させるのに必要な最大トルクの和には達しない。
【００３６】
更に、曜日を手動で変更する時には、第２駆動フィンガー７０’は、駆動フィンガー６８と同様に、それは弾性アーム６６を湾曲させて、デイスター・ウイール２２と日付ディスク２０’が、ある言語から別の言語による同一の曜日の表示に変わるか、あるいは同一の言語である曜日から次の曜日に変わるようにする。
【００３７】
当然の事ながら、駆動フィンガー６８と弾性アーム６６に対して述べたことは、第２駆動フィンガー７０’に付いても当てはまる。
【００３８】
更に、図３，４の変形例は、図１，２の実施例の第２舌状突起部７０の存在を理由付ける。実際両方の場合に用いることのできる動輪ウィール１６を形成するために、金属ストリップあるいはプレートから、駆動フィンガー６８と第２駆動フィンガー７０’とを形成するために、２枚の舌状突起物を有する平坦な部品を切断し、その内の１つあるいは両方の舌状突起物を折り曲げて、図１，２の実施例あるいはその変形例のいずれかで使用されるウイールを得る。これによりコストを削減できる。
【００３９】
しかし図１，２の実施例とその変形例は、次のような欠点がある。
【００４０】
第１の欠点として、同一材料の単一ピースで形成された動輪ウィール１６は、デイスター・ウイールと日付クラウンの両方の最適な駆動が、それらが形成される材料の機能として得ることができない点である。例えば日付クラウンが銅とベリリウムの合金から形成され、デイスター・ウイールが鋼から形成される場合には、曜日ディスクを前記のデイスター・ウイールにレーザーで溶接する。
【００４１】
第２の欠点として、あるムーブメントに対しては、曜日ディスクと日付クラウンの駆動の間の移送シフトの符号と値は、動輪ウィール１６が設計され製造されたときに決定される点である。様々な理由により、デイスター・ウイールと曜日ディスクではなく、日付クラウンを駆動することによりスタートするのが好ましく、同一の前方向の動きである必要は必ずしもない。図１−４に示す公知の機構においては、これは動輪ウィール１６を別のウイールで置き換えることで達成できる。
【００４２】
最後のそして第３の欠点としては、図１−４のこの公知の機構においては、実際には非常に薄い動輪ウィール１６は、日付クラウンとデイスター・ウイールの両方を反対方向に長時間駆動しなければならない。これにより、動輪ウィール１６は、極めて大きなストレスを受けることになる。このことは寿命とそれの一部を構成するカレンダー機構の適切な動作更には正しい動作を制限することになる。
【発明の開示】
【発明が解決しようとする課題】
【００４３】
本発明の目的は、上記の欠点を有さない日付と曜日の両方を表すことのできるカレンダー機構を提供することである。
【課題を解決するための手段】
【００４４】
これらの目的は本発明の機構により解決できる。本発明の機構の特徴は、曜日インディケーターの駆動手段は、外側の歯を具備した第２動輪ウィールと、それに同軸で重ね合った第１動輪ウィールとを具備する。前記第１と第２の動輪ウィールは、同一の直径かつ同一の偶数の歯数を有し、時ウイールに固定された同一のウイールにより駆動される。
【００４５】
好ましくは前記動輪ウィールは、前記時ウイールのパイプに固定されたカナにより形成され、前記第１と第２の動輪ウィールの歯数の半分の数の歯数を有する。
【実施例】
【００４６】
図５，６を図１に示されたカレンダー機構の変形例である図３，４とを比較する。動輪ウィール１６を除くと、図５，６は、図３，４の変形例の機構の全ての部品とこの機構に関連するこの時計のムーブメントの一部を示している。
【００４７】
かくして図５，６で示された共通の部品は、全て前の図で示された同一参照番号で記載する。
【００４８】
図５に示された本発明の機構の実施例と問題となっている変形例との違いは、変形例の１個の動輪ウィール１６は、２個の同軸に重ね合わせたウイール７６，７６’で置換される。これらのウイール７６，７６’は、同一直径と同一歯数のウイール７６，７６’を有する。この実施例では１２枚の歯を有し、ウイール７６，７６’は、両方ともムーブメントのフレームに固定された同一の固定真１４に軸支され、このムーブメントの時ウイール２のパイプ４に固定された６枚歯を有する同一のカナ１０により駆動される。
【００４９】
当然の事ながら、それらは同一の参照番号で示されている。、本発明の機構においては、１枚のカレンダー動輪ウイールではなく２枚の重ね合わせたウイールがあり、日付表示冠２４の高さとカナ１０の厚さは、従来公知の実施例及びその変形例よりも大きくなる。同一の理由により、これらの２枚のウイールを保持する保持プレート４６の正確な形状も若干変わる、あるいは少なくとも局部的に変わる。
【００５０】
更に、図５に示すように日付表示冠２４を駆動するウイール７６は、図１−４の動輪ウィール１６と同様に、ハブとスポークとツースクラウンとを有する。しかしそれはデイスター・ウイール２２と曜日表示ディスク２０を駆動する弾性アームもフィンガーも有さない。このことはそれは別の形態で製造できることを意味する。但し、一方で、日付クラウンを駆動するために前と同様な形状でかつ他のものよりも長い歯７８を有し、他方で、１個の動輪ウィール１６と同様な方法で日付の表示を手動で変えることのできる十分な自然の弾性を有することが条件である。
【００５１】
ウイール７６’に関しては、このウイール７６’は、日付動輪ウィール上に配置され、その役割はデイスター・ウイール２２と曜日表示ディスク２０を駆動することである。それは図２の動輪ウィール１６と同一であるが、特定の歯を有さず、その１２枚の歯７８’が同一である点を除く。
【００５２】
かくして図５に示した本発明のカレンダー機構の動作を記述することは不必要である。しかしこの機構あるいは類似の機構により本発明の所望の目的が達成できることを示すことは有益なことである。
【００５３】
実際にこの様な機構においては、ウイール７６，７６’のそれぞれのパラメータは、それらが形成される材料、それらの歯の形状あるいはその耐摩耗性と同様に、構造的な特徴及びそれらが駆動するウイールのセットの製造方法により、それらが一部を構成するカレンダー機構の動作を最適にしているために、個別に決定できる。
【００５４】
ウイール７６，７６’が受ける機械的ストレスは、このウイール７６，７６’は、非常に薄くもろくかつ１個のウイールセットを一方向にのみ駆動するだけである為、これは反対方向に回転するよう２つのウイールセットを駆動するような単一のウイールが受ける機械的ストレスよりも遙かに小さい。
【００５５】
更に、図１−４の公知の機構とは異なり、デイスター・ウイールと曜日ディスクの駆動は、日付表示冠２４の歯付き駆動クラウンの弾性挙動に対し悪影響は最早有さない。そしてその逆もいえる。
【００５６】
最後に、図５の本発明の実施例の機構の場合には、ウイール７６，７６’を固定真１４の上に搭載して、デイスター・ウイール２２と曜日表示ディスク２０が、日付表示冠２４が駆動される前に駆動を開始すること、あるいはその逆にすることも容易である。しかし時ウイール２に固定されたカナ１０が６枚の歯を有し、ウイール７６，７６’が１２枚の歯を有する場合には、前記デイスター・ウイールと前記曜日ディスクが一方で駆動される時と、前記日付クラウンが他方で駆動される時との間の時間間隔を増減させることも不可能である。この時間間隔は、図１−４の公知の機構と必ず同一に保持される。しかし本発明による機構の場合には、この問題を解決する簡単な方法が存在する。この解決方法は、ウイール７６，７６’の歯数とカナ１０の歯数との間の比を２対１に維持しながら、カナ１０とウイールの歯の数をある程度増加させることである。図１−４に示す公知の機構に関しては、カナ１０と動輪ウィール１６の歯数を増加させることも可能であり、これは本出願人により製造され既に市販されている実際のムーブメントの場合にも当てはまるが、カレンダー機構に対し１個の動輪ウィールではこの問題を解決できない。
【００５７】
図５の実施例と同様に図６の実施例においても、本発明の機構は２つの重ねた同軸のウイール８０，８０’を有し、それらは同一の直径でかつ同一の歯数をそれぞれ歯８２，８２’が有する。歯数は、この実施例においては１２個であり、それらはムーブメントフレームに固定された同一の真１４に搭載され、ムーブメントの時ウイール２に固定された６個の歯を具備する同一のカナ１０により駆動される。
【００５８】
図７により明白に示すように、日付表示冠２４用に具備されたウイール８０は、ハブ８４を有する。このハブ８４から半径方向幅広アーム８６が伸びている。半径方向幅広アーム８６の端部から、アーク形状の弾性変形可能アーム８８が伸びる。これは矢印Ｆ１で示すように、ウイール８０の通常の回転方向に伸びて、ハブ８４の大部分を包囲し、内側とかつほぼ半径方向に伸びる剛性の接続部９０を介して、クラウン９２に取り付けられる。このクラウン９２がウイールの歯８２を有する。
【００５９】
図５の実施例の動輪ウイール７６の歯の付いたクラウンと同様に、クラウン９２は特定の突出した突出歯８２”を有し、これは他のものよりも長く、日付表示冠２４の二等辺形状歯４４の間に係合され（図６を参照）、動輪ウィールと日付クラウンの突出した歯と同一の形状かつ同一の方向を有する。
【００６０】
しかし図６の実施例においては、突出歯８２”は、ウイール８０が矢印Ｆ１の方向に回転したときに、突出歯８２”に先行する通常の歯８２には取り付けられていない。切り込み９４によりウイール８０は切り離されている。
【００６１】
かくしてカレンダー機構が正常に動作しているとき、及び突出歯８２”の前側面９６が日付表示冠２４の二等辺形状歯４４の裏側面と接触するときには、前記クラウンは、突出歯８２”により直ちに駆動を開始される訳ではない。カナ１０によりかかるモータートルクによりウイール８０を矢印Ｆ１の方向に回転させるが、反対方向にウイールにかかる抵抗慣性と摩擦トルクの故に、突出歯８２”は静止する。このことは、弾性変形可能アーム８８により形成されたスプリングが巻かれる。これは接続部９０の半径方向の前側面１０２がハブ８４を弾性変形可能アーム８８に結合する半径方向幅広アーム８６の対応する後側面１０４と接触するようになるまで行われる。この間ウイールの切り込み９４の幅が増加する。
【００６２】
接触が、接続部９０の前側面１０２と半径方向幅広アーム８６の後側面１０４との間で確立された時点から、特定の突出歯８２”は、図５の実施例のウイール７６の歯７８”と同様な方法で、日付表示冠２４の駆動を開始するが、これは突出歯８２”が日付クラウンの二等辺形状歯４４と交差するまで行われる。この日付クラウンとそれが接触して日付クラウンの次の空隙に入り、これにより弾性変形可能アーム８８が解放される。
【００６３】
かくして図６の実施例の場合、日付クラウンの駆動に関しては、本発明の機構は最早ゆったりとしたタイプ（dragging type）ではなく、ほぼゆったりとしたタイプあるいは瞬時のタイプである。このことは日付表示の変更は、図５の実施例よりも速くなり、この変更の時間はほぼ半分に低減することを意味する。
【００６４】
このことは、制御ステムの操作に応答して早期の変更が日付表示に発生したとき、及び日付表示冠２４の二等辺形状歯４４が突出歯８２”の斜表面１００と接触したときには、前記日付クラウンの二等辺形状歯４４は、トルクを突出歯８２”にかけて、これが動輪ウイール８０を矢印Ｆ１の方向に回転させる。しかしカナ１０は移動しないものと見なす事ができ、この様な回転に抗するので、日付クラウンの二等辺形状歯４４は、斜表面１００の上をスライドし、これにより弾性変形可能アーム８８に若干の引っ張りを引き起こし、クラウン９２の切り込み９４の幅を若干減少させる。二等辺形状歯４４が突出歯８２”の先端を通過すると、動輪ウイール８０は最初の形状に戻る。
【００６５】
同様に、カナ１０が矢印Ｆ１とＦ３とは反対側に回転して、時計の時間設定の戻しながらの調整を可能とするとき、及び半径方向幅広アーム８６の突出歯８２”の斜表面１００が、これはカナの方向とは反対方向に回転して、日付クラウンの二等辺形状歯４４に接触するときには、突出歯８２”により二等辺形状歯４４にかかるトルクは、日付クラウンの位置を変えるには十分でなく、クラウン９２の弾性変形可能アーム８８と切り込み９４は前述したのと同様に動く。
【００６６】
図８に示すように、デイスター・ウイール２２と曜日表示ディスク２０を駆動するウイール８０’は、ハブ１０６と、クラウン１０８と、弾性アーム１１２とを有する。クラウン１０８は、歯８２’を有しスポーク１１０によりハブ１０６に固定される。弾性アーム１１２は、円弧の形状をしており、ハブ１０６の一部を包囲し、２個の駆動フィンガー１１４、１１６を具備する。この駆動フィンガー１１４、１１６は、図４に示された動輪ウィール１６の駆動フィンガー６８と第２駆動フィンガー７０’と同様な方法で形成し配置され、これが図１の公知の変形例のカレンダー機構の一部を構成する。
【００６７】
最後に、図８に示すウイール８０’の弾性アーム１１２は、前記ウイールの面に配置された半径方向支持フィンガー１１８を搬送し、前記フィンガー１１８はクラウン１０８の方向に伸びて半円端部１２０で終端する。
【００６８】
ウイール８０’が、矢印Ｆ１の方向に正常に駆動され、駆動フィンガー１１４がデイスター・ウイール２２の１４枚歯３４の裏側面と接触し、トルクを歯にかけ始めるときに、弾性アーム１１２は閉まり、ハブ１０６から離れる方向に移動するが、これは半径方向支持フィンガー１１８の半円端部１２０がクラウン１０８の内側エッジ１２２に当たるまで行われる。この期間、駆動フィンガー１１４は、デイスター・ウイールの歯を押して、その歯の前側面に沿ってその先端まで移動させ、半径方向支持フィンガー１１８がクラウンの内側エッジ１２２に接触した時点から、駆動フィンガー１１４により１４枚歯３４にかかるトルクは最大となる。次に駆動フィンガー１１４がデイスター・ウイール２２の１４枚歯３４の先端を超えたときには、駆動フィンガー１１４はそれが以前に配置された歯の間に続くデイスター・ウイール２２の空隙内に入り、歯車が１／１４回転した後、弾性アーム１１２は緩む。
【００６９】
同じことが、第２の動輪ウィール１１６が同一方向に１／１４回転だけ再びデイスター・ウイールを回転させたとき、及びウイール８０’が同一方向に急きょ回転して手動により曜日の指示を変更する時に、起こる。
【００７０】
更に又言うまでもないことであるが、直接的な変更、時間設定ステムを介しての変更に関し以前に説明したことは、図６−８の実施例に対し明らかに適用可能である。
【００７１】
最後に図６−８の実施例で結論づけられることは、半径方向支持フィンガー１１８は、デイスター・ウイール２２の動輪ウイール８０’の下に配置された日付表示冠２４の動輪ウイール８０のクラウン９２に対する制限停止部材として機能し、これにより２つの非常に薄くかつ回転時に変形しやすい２つのウイールの間の発生することのあるブロッキングを阻止することである。
【００７２】
本発明はここに開示した２つの実施例に限定されるものではない。
【００７３】
例えば２つの言語による曜日ディスクは、図１の１個の言語によるディスクで置換可能であり、この様な場合、ディスクの動輪ウィールは１つの駆動歯のみを有する。
【００７４】
更に、曜日ディスクは、曜日の１回のみを表示して、デイスター・ウイールは７個の歯のみを含むようにしてもよい。
【００７５】
一方同一のディスクとスター・ウイールは、３つ言語で曜日を表示してもよい。
【００７６】
時ウイールのパイプに固定された駆動カナと、日付クラウンの動輪ウィールと、曜日ディスクの動輪ウィールに関しては、それらの歯の数は、それぞれ６個と１２個以上でも以下でもよい。必要な点は、これらの歯数の比が２対１に維持されることである。
【００７７】
当然の事ながらこれらは単なる実施例であり、多くの他の実施例及び変形例は本発明の範囲を逸脱することなく考え得る。
【００７８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００７９】
【図１】出願人の知りうる限りの本発明に最も近い従来技術（最新式）の時計のカレンダー機構を表す展開図。
【図２】出願人の知りうる限りの本発明に最も近い従来技術（最新式）の時計のカレンダー機構を表す展開図。
【図３】出願人の知りうる限りの本発明に最も近い従来技術（最新式）の時計のカレンダー機構を表す展開図。
【図４】出願人の知りうる限りの本発明に最も近い従来技術（最新式）の時計のカレンダー機構を表す展開図。
【図５】本発明のカレンダー機構の第１実施例の展開斜視図。
【図６】本発明のカレンダー機構の第２実施例の展開斜視図。
【図７】図６のカレンダー機構のウイール８０の上面図。
【図８】図６のカレンダー機構のウイール８０’の上面図。
【符号の説明】
【００８０】
２  時ウイール
４  パイプ
６  パイプ
８  軸
１０  カナ（ピニオン）
１２  ６枚歯
１４  固定真（軸）
１６  動輪ウィール
１８  １２枚歯
２０  曜日表示ディスク
２２  デイスター・ウイール
２４  日付表示クラウン
２６  プレート
２８  上部エッジ
３０  ダイアル
３２  開口
３４  １４枚歯
３６  キー
３８，４０，４２  同軸環状部品
３８  第１環状部品
４０  第２環状部品
４２  第３環状部品
４４  二等辺形状歯
４６  保持プレート
４８  ネジ手段
５０  第１弾性舌状突起部
５２  第２弾性舌状突起部
５４  ハブ
５６  結合要素
５８  クラウン
６０  前側面
６２  後側面
６４  斜表面
６６  弾性アーム
６８  駆動フィンガー
７０  第２舌状突起部
７０’第２駆動フィンガー
７６，７６’  ウイール
７８，７８’  歯
８０，８０’  ウイール
８２，８２’  歯
８２”突出歯
８４  ハブ
８６  半径方向幅広アーム
８８  弾性変形可能アーム
９０  接続部
９２  クラウン
９４  切り込み
１００  斜表面
１０２  前側面
１０４  後側面
１０６  ハブ
１０８  クラウン
１１０  スポーク
１１２  弾性アーム
１１２．１１４  駆動フィンガー
１１６  動輪ウィール
１１８  半径方向支持フィンガー
１２０  半円端部
１２２  内側エッジ
【図１】
2006513426.tif 000003
【図２】
2006513426.tif 000004
【図３】
2006513426.tif 000005
【図４】
2006513426.tif 000006
【図５】
2006513426.tif 000007
【図６】
2006513426.tif 000008
【図７】
2006513426.tif 000009
【図８】
2006513426.tif 000010
【国際調査報告】
2006513426.tif 000011
2006513426.tif 000012
2006513426.tif 000013
2006513426.tif 000014